(57)【要約】【課題】食器洗い機用の食器籠に装着される小物容器を、ステンレスの清潔さを活かしつつ低廉なコストで提供する。【解決手段】ステンレス鋼板製の第１部材３０は上面コ字形状で各面に丸穴３４を有する。合成樹脂製の第２部材２０は上枠部２１、下枠部２２、両側壁面部２３、２４、底部２６を有する。第１部材３０の前面部３１及び後面部３２は上枠部２１と下枠部２２との間に保持され、その上枠部２１及び下枠部２２が第１部材３０の上縁辺と下縁辺とを隠す。一方、第１部材３０の前後の横縁辺は右側壁面部２４で隠される。そのため、第１部材３０のいずれの端面も外側に露出しないため、バリ等を除去するための端面処理が不要であって、高い安全性を確保しつつ製造コストを抑制することができる。また、面積的にもステンレスで形成される部分が多く、清潔さを維持することが容易である。【選択図】　図３
2004135936.tif 000002
【特許請求の範囲】
【請求項１】
洗浄庫と、該洗浄庫内に配置され食器類を収容するための食器籠と、前記洗浄庫内に水を噴射することにより前記食器類を洗浄する洗浄手段と、を備える食器洗い機において、
前記食器籠は箸やスプーンなどの小物類を起立状態で収納するための小物容器を備え、該小物容器は、その外形が横に細長い略直方体形状であって、その内部は２枚以上の仕切縦壁によって３部屋以上に区画されており、四方の４つの側壁面のうちの少なくとも面積の大きな２枚の対向する面を形成するステンレス製の第１部材と、少なくとも残菜排出用開口部及び通水用穴が設けられた底部と前記仕切縦壁とを含む他の部分を形成する合成樹脂製の第２部材とから成ることを特徴とする食器洗い機。
【請求項２】
前記第２部材は、前記第１部材の上縁辺及び下縁辺に接する上枠部及び下枠部を含むことを特徴とする請求項１に記載の食器洗い機。
【請求項３】
前記第１部材は、四方の４つの側壁面のうちの面積の大きな２枚の対向する面と他の１面とを有する上面略コ字形状であり、前記第２部材は、その第１部材の側壁面の２つの横縁辺を被覆する被覆部を含むことを特徴とする請求項１又は２に記載の食器洗い機。
【請求項４】
前記第２部材の上枠部及び下枠部の間に前記第１部材の側壁面の対向２面が側方から差し込まれるように、該第１部材を第２部材に装着することを特徴とする請求項３に記載の食器洗い機。
【請求項５】
前記第２部材の下枠部は、その上面に、前記第１部材を保持するための外側突片と内側突片とを互いに対向しない位置に有することを特徴とする請求項２〜４のいずれかに記載の食器洗い機。
【請求項６】
前記第１部材の側壁面の対向する２面の横縁端部にはその一部を折り曲げたカエリ部を有し、他方、前記第２部材の前記被覆部には、前記カエリ部が嵌合する開口を有することを特徴とする請求項５に記載の食器洗い機。
【請求項７】
前記第２部材の上枠部は、その内周面に凹部を有することを特徴とする請求項２〜６のいずれかに記載の食器洗い機。
【請求項８】
前記小物容器は、その４つの側壁面のいずれかが前記食器籠の左右の端部にくるように該食器籠内に配置され、その端部側の面と対向する１つの側壁面と、該食器籠が洗浄庫内に収納されたときに正面となる側壁面とが少なくとも前記第１部材で形成されることを特徴とする請求項１〜７のいずれかに記載の食器洗い機。
【発明の詳細な説明】
【０００１】
【発明の属する技術分野】
本発明は食器洗い機に関し、更に詳しくは、食器洗い機の洗浄庫内に配置される食器籠に関する。
【０００２】
【従来の技術】
近年、家庭用の一般の食器洗い機では、清潔さを維持するために、洗浄庫の内壁面や洗浄庫内に配置される食器籠が、錆にくく汚れも付きにくいステンレス製であるものが主流になりつつある（例えば非特許文献１など）。そうした食器洗い機においても、食器籠に設けられる、箸、スプーン、フォークなどの細長形状の小物類を収容するための小物容器は、従来通り、合成樹脂の成型品が使用されている。これは、小物容器の形状が複雑であるため、ステンレスの棒材や鋼板などから形成することが非常に難しく、可能であるとしてもコストが非常に高くなり実用的でないからである。
【０００３】
上述したように食器洗い機用の小物容器の形状が複雑であるのは、主として次のような理由による。
（１）洗浄前の小物類はご飯粒等の残菜や汚れが付着しており、特にこびり付きの強い汚れは直接的に水が掛からないと落ちにくいため、各小物類ができるだけ重ならない状態（つまり隙間が空く状態）で起立保持できるように、仕切縦壁で細かく区画された部屋を複数設けている。
（２）小物類から流れ落ちた残菜が底部に溜まらないようにするために、残菜が流出可能である比較的大きな開口部を底部に設ける必要がある。
（３）下方から噴射されて来る水が小物類に当たり易くするために、底面に通水用の開口を設ける必要がある。但し、底面は小物類のストッパの役目を果たす必要があるため、一般に、通水用開口は箸の先端部などが嵌らない程度に小さな穴である。
（４）特に側壁面は乾燥時のための通風性も考慮する必要がある。
【０００４】
従来、食器乾燥機などに利用可能な小物容器として、特許文献１に記載の構成のものが知られている。この構成による箸立てでは、食器乾燥機の内部に掛止するためのフックを設けた背面部と底面部と両側面部とから成る本体を合成樹脂で形成し、主として前面を覆う前面カバー部材をステンレスで形成し、その前面カバーの両側辺に本体の両側面部と重なる側面カバー部を延出して設けている。これにより、本体の両側面部の奥行きを底面部の奥行きよりも小さくすることができるので、使用者が前面カバー部材を取り外した状態で本体内部の奥にまで指が届き易く、掃除を容易にしている。
【０００５】
小物容器がこうした食器乾燥機に使用される場合、小物容器に収容される小物類は濡れてはいるものの汚れは既に洗浄時に除去されているため、上記（１）及び（２）について考慮する必要はない。また、通気性のみについて考慮すればよいため、上記（３）についても考慮する必要はない。
【０００６】
また、特許文献１に記載のようにステンレス鋼板が使用される場合には、部材を成形加工する際に切削加工が行われるため、その切削面の角が鋭利になったりバリと呼ばれる鋭利な小突起が形成されたりする。そのため、切削面が露出していて人が容易に触れることができるようになっていると、指先を傷付ける等の安全上の問題があり、人が触れる可能性がある場合には折り返しを設ける等の端面処理が必要となる。その処理自体がかなりのコスト増加要因となるため、廉価なコストでこうした小物容器を提供することは困難である。
【０００７】
【特許文献１】
特開２００１−２４５７７４号公報
【非特許文献１】
“スリムｄｅステンレス　ＤＷ−ＳＸ２０００（Ｓ）”、「トリプルステンレスでまるごと清潔！」、［Ｏｎｌｉｎｅ］、三洋電機株式会社、［平成１４年１０月１０日検索］、インターネット〈ＵＲＬ：　ｈｔｔｐ：／／ｗｗｗ．ｓａｎｙｏ．ｃｏ．ｊｐ／ＨＡＣ／ＤＷ／２０００／０２．ｈｔｍｌ〉
【０００８】
【発明が解決しようとする課題】
上述したような困難さはあるものの、食器洗い機において洗浄庫内の各部がステンレス化される中で、掃除の容易性や清潔さ、或いは見栄えの良さなどから、小物容器もステンレス化してほしいという要求は非常に大きいものがある。
【０００９】
本発明はかかる点に鑑みて成されたものであり、その目的とするところは、低廉なコストで且つステンレスの清潔さを活かした小物容器を備える食器籠を用いた食器洗い機を提供することにある。
【００１０】
【課題を解決するための手段、及び効果】
上記課題を解決するために成された本発明は、洗浄庫と、該洗浄庫内に配置され食器類を収容するための食器籠と、前記洗浄庫内に水を噴射することにより前記食器類を洗浄する洗浄手段と、を備える食器洗い機において、
前記食器籠は箸やスプーンなどの小物類を起立状態で収納するための小物容器を備え、該小物容器は、その外形が横に細長い略直方体形状であって、その内部は２枚以上の仕切縦壁によって３部屋以上に区画されており、四方の４つの側壁面のうちの少なくとも面積の大きな２枚の対向する面を形成するステンレス製の第１部材と、少なくとも残菜排出用開口部及び通水用穴が設けられた底部と前記仕切縦壁とを含む他の部分を形成する合成樹脂製の第２部材とから成ることを特徴としている。
【００１１】
ここで、第２部材は一体成型品であってもよいが、複数の合成樹脂製の部材を接着や熱溶着等によって接合して最終的に一体化したものでもよい。また、第１部材は、それが１個である場合と複数個用いられる場合とが考え得る。例えば上記４つの側壁面のうちの、面積の大きな２枚の対向面のみをステンレス製とする場合、各面をそれぞれ形成する平面状の部材を第１部材とすればよく、上記小物容器を構成するために、この第１部材が２個用いられる。これに対し、上記２枚の対向面以外の他の１面又は２面も同様にステンレス製とする場合には、第１部材は上記２枚の対向面と他の１面又は２面とを折り曲げや貼り合わせ等によって一体に形成した部材であって、これを１個用いればよい。
【００１２】
本発明に係る食器洗い機における小物容器では、底部や仕切縦壁など、形状が複雑であってステンレス等の金属で形成しようとすると非常にコストが高くつく部分は合成樹脂で構成され、一方、形状が単純であって且つ当該小物容器の中で広い面積を占める部分がステンレスで構成される。そのため、非常に複雑な形状でありながら製造コストが比較的低廉で済むとともに、従来の合成樹脂製の小物容器に比べて、カビなどを含む汚れが付きにくく手入れも容易である。
【００１３】
また、本発明に係る食器洗い機において、第２部材は、第１部材の上縁辺及び下縁辺に接する上枠部及び下枠部を含む構成とすることが好ましい。この構成によれば、ステンレス鋼板から成る第１部材の上縁辺及び下縁辺の端面が合成樹脂製の第２部材の上枠部及び下枠部で被覆されるので、その上縁辺及び下縁辺の切削端面を端面処理する必要がなく、第１部材の製造コストを低く抑えることができる。また、小物容器に小物類を収納する際や、小物容器を食器籠に着脱する際に使用者が手を触れても、指先を傷付けることがなく高い安全性を確保することができる。
【００１４】
また、本発明の一態様として、第１部材は、四方の４つの側壁面のうちの面積の大きな２枚の対向する面と他の１面とを有する上面略コ字形状であり、第２部材は、その第１部材の側壁面の２つの横縁辺を被覆する被覆部を含む構成とすることができる。
【００１５】
この構成によれば、第１部材の横縁辺も第２部材の被覆部によって被覆され、その横縁辺の端面が外側に露出していないので、端面処理を行う必要がなく、第１部材のコストの一層の抑制が可能であるとともに、安全性も一層高まる。
【００１６】
なお、この場合、第２部材の上枠部及び下枠部の間に第１部材の側壁面の対向２面が側方から差し込まれるように、該第１部材を第２部材に装着することができる。こうした方法で組立てることにより、組立てに要するコストも抑制することができる。
【００１７】
また、第２部材の下枠部は、その上面に、第１部材を保持するための外側突片と内側突片とを互いに対向しない位置に有する構成とすると更に好ましい。この構成では、外側突片と内側突片との間に第１部材を挟持することによって、第２部材が第１部材を立設状態で保持する。外側突片と内側突片とは互いに対向しない位置に存在するので、両突片の間に狭い間隙が形成されず、その間隙に水が溜まったりゴミなどが蓄積されたりすることがなく、清潔さを維持するのに有益である。また、第１部材を立設状態で保持したり或いは上述のように側方から挿入する際に案内したりするために溝を形成すると、この溝に水が溜まってカビの発生原因となり易いが、こうしたことも回避することができる。
【００１８】
また、上述のように第１部材を第２部材に側方から差し込む構成では、第１部材の側壁面の対向する２面の横縁端部にその一部を折り曲げたカエリ部を有し、他方、第２部材の被覆部にはカエリ部が嵌合する開口を有する構成とすることが好ましい。この構成では、第１部材を第２部材に挿入していって、カエリ部が開口に嵌合する位置で第１部材は第２部材に固定されて抜けなくなる。従って、簡単な構成及び簡単な組立手順によって第１部材と第２部材とを確実に固着することができ、使用者には容易に取り外すことができない。
【００１９】
更にまた、本発明に係る食器洗い機における小物容器では、第２部材の上枠部は、その内周面に凹部を有する構成とすることが好ましい。この構成によれば、小物容器の各部屋内に箸やスプーンなどの小物類を収納したとき、その小物類の上部が凹部に嵌って移動が或る程度制限されるので、小物類同士が接触したり重なったりすることを抑制することができる。従って、各小物類に満遍なく水が掛かり易くなり、洗浄性能やすすぎ性能を発揮し易くなるとともに、乾燥にも効果的である。また、小物類同士の接触が軽減されることによって、騒音を減らすのにも有効である。
【００２０】
なお、小物容器は、その４つの側壁面のいずれかが前記食器籠の左右の端部にくるように該食器籠内に配置され、その端部側の面と対向する１つの側壁面と、該食器籠が洗浄庫内に収納されたときに正面となる側壁面とが少なくとも第１部材で形成される構成とするとよい。この構成によれば、使用者が洗浄庫の前面に設けられているドアを開けて食器籠を前方に引き出したとき、使用者の最も目につき易い箇所がステンレスで形成されている。従って、使用者に与える清潔感の印象が良好である。
【００２１】
【発明の実施の形態】
以下、本発明の一実施例による食器洗い機を、図面を参照して説明する。図１は、本実施例による食器洗い機の側面縦断面図である。この食器洗い機は、例えば台所のシンクの側方の狭いスペースに設置が可能であるように、奥行が小さな薄型構造となっている。
【００２２】
箱型の筐体１の内部には乾燥室を兼用する洗浄庫２が配設され、洗浄庫２の前面開口には、その上端及び下端でそれぞれ軸支される上部ドア３及び下部ドア４が、上下方向に観音開きするように取り付けられている。この上部及び下部ドア３、４を開放した状態で、食器籠５が洗浄庫２内に出し入れされる。洗浄庫２の底部には、上面に複数の水噴射口６が形成された回転自在のノズルアーム７が設けられている。この食器洗い機では洗浄庫２の幅が奥行よりも大きいため、１本のノズルアームだけでは洗浄庫２内の両側方部まで水が行き渡らない。そこで、回転時に上記ノズルアーム７と干渉しない位置に並んで、図示しない他のノズルアームが設けられている。
【００２３】
洗浄庫２の底部には貯水槽８が連通して配設されており、その上面には、食器類から流れ落ちた残菜を捕集するための残菜フィルタ１１が着脱自在に設けられている。洗浄庫２の側方には図示しないものの給水バルブを備えた給水口が配設されており、この給水バルブが開かれると、外部の水道栓等から供給された水が給水口を通して洗浄庫２内に注がれ、貯水槽８を含む洗浄庫２の底部に貯留される。
【００２４】
洗浄庫２の底壁面下方には、洗浄兼排水ポンプ１２が配置されている。洗浄兼排水ポンプ１２は、その内部に隔壁で区画された洗浄ポンプ室と排水ポンプ室とを有しており、洗浄ポンプ室内及び排水ポンプ室内には、ポンプモータの同軸上に取り付けられた洗浄用インペラ及び排水用インペラが設けられている。洗浄ポンプ室の吸入口１３は貯水槽８の後壁に設けられた循環口９に接続され、吐出口１４は水平方向に延在して配設された通水路１５を介してノズルアーム７内の水路及び図示しない他のノズルアーム内の水路に連通している。一方、図示していないが、排水ポンプ室の吸入口は貯水槽８の側壁に設けられた排水口１０に接続され、吐出口は排水ホースを介して機外に連通している。
【００２５】
而して、洗浄庫２の底部に水が貯留された状態で洗浄兼排水ポンプ１２のポンプモータが正転方向に回転駆動されると、洗浄兼排水ポンプ１２は洗浄ポンプとして機能する。すなわち、回転する洗浄用インペラの作用によって、循環口９を通して貯水槽８から吸い込んだ水をノズルアーム７へと圧送する。すると、ノズルアーム７の水噴射口６から水が噴き上がり、その水勢によってノズルアーム７は所定方向に回転する。これにより、洗浄庫２内に収容されている食器類に水を噴射し、食器類に付着している汚れを落としたり洗剤水を流したりする。一方、ポンプモータが逆転方向に回転駆動されると、洗浄兼排水ポンプ１２は排水ポンプとして機能する。すなわち、回転する排水用インペラの作用により、排水口１０を通して貯水槽８から吸い込んだ水を排水ホースを通して機外へと排出する。
【００２６】
また、図１には現れないものの、洗浄庫２の外側には機外から空気を吸引して洗浄庫２内底部へと吐き出す送風用のブロアが設けられている。乾燥時にこのブロアが駆動されるとともにヒータ１６に通電がなされると、洗浄庫２内に送り込まれた空気がヒータ１６で加熱されて食器類に当たる。それによって、食器類を乾燥させることができる。
【００２７】
図２は食器籠５の上面図である。食器籠５は、大小の皿などを収容する下段籠部５ａと下段籠部５ａの一部の上方に配設されるコップ類などを載置するための上段載置棚部５ｂとを備え、下段籠部５ａには、箸、スプーン、フォークなどの小物類を収容するための小物容器５ｃが、下段籠部５ａの一部である２本の押さえ棒５ｄで挟み込まれることによって着脱可能に固定されている。下段籠部５ａ及び上段載置棚部５ｂは全てステンレスで形成されている。
【００２８】
次いで、本食器洗い機の特徴である小物容器５ｃの構成について、図３〜図７を参照して詳細に説明する。
【００２９】
図３は小物容器５ｃの概略構成を示す組立斜視図である。図４はこの小物容器５ｃを構成する一部材である合成樹脂製の第２部材２０の正面図である。図５（ａ）は第２部材２０の右側面図、図５（ｂ）は図４中のＡ−Ａ’矢視線断面図、図５（ｃ）は図４中のＢ−Ｂ’矢視線断面図である。図６（ａ）は第２部材２０の上面図、図６（ｂ）は図５（ａ）中のＣ−Ｃ’矢視線断面図である。図７（ａ）はこの小物容器５ｃを構成する他の部材であるステンレス鋼板製の第１部材３０の正面図、図７（ｂ）は第１部材３０の上面図、図７（ｃ）は第１部材３０の右側面図である。
【００３０】
図３に示すように、小物容器５ｃはステンレス鋼板の成形品である第１部材３０と合成樹脂の成形品である第２部材２０との２つから成り、全体として横長の直方体形状を有している。
【００３１】
第１部材３０は、１枚のステンレス鋼板を上面略コ字形状に折り曲げ形成したもので、広い面積の前面部３１、同じく後面部３２、及び狭い面積の側面部３３の三面を有し、各面に通風・通水用の丸穴３４が穿孔されている。両縁端部にはカエリ部３５が形成されており、これによって後述するように第２部材２０に対する固定が為される。また、側面部３３には２箇所に円弧状の窪み３６が形成されており、この窪み３６に上記押さえ棒５ｄの円弧状膨出部を嵌合することにより、小物容器５ｃを下段籠部５ａに固定するようにしている（図８参照）。但し、実際に使用される窪み３６は１箇所のみであって、図３に示す如く第２部材２０に第１部材３０を挿入する際に、第１部材３０が上下反転していても同一位置の押さえ棒５ｄに対応するように窪み３６が二箇所となっている。
【００３２】
なお、一般にステンレス鋼板を切削加工した場合には、その切削端面にバリが生じるが、ここでは第１部材３０のいずれの端面にも、そうしたバリが露出しないようないわゆる端面処理を行わない。
【００３３】
第２部材２０は、外形が略長方形状で内側が抜けている上枠部２１と、それとほぼ同じ形状の下枠部２２と、適度に開口が設けられた右側壁面部２３と、同じく適度に開口が設けられた左側壁面部２４と、右側壁面部２３及び左側壁面部２４で挟まれる空間を６部屋に区切る５枚の仕切壁部２５と、底部２６とを含む。底部２６は、後方から前方に向かって下方に傾斜し、多数の通水穴２６２が穿孔された底面部２６１と、小物類の下部に接触して脱落を防止するための桟部２６３とを含み、桟部２６３と底面部２６１との間が前方に向けて大きく開放した残菜排出用の開口部２６４として形成されている。
【００３４】
第２部材２０の上枠部２１と下枠部２２とは、細長形状の小物類の長手方向の周面の一部（例えばスプーンやフォークの柄等）に接触してそれを起立状態で保持する役目を有するとともに、第１部材３０を保持し且つ第１部材３０の上下の縁辺の端面に使用者の指が触れないように防御する機能を有している。すなわち、図４及び図５に示すように、上枠部２１の下面には下垂して複数の外側突片２１１と内側突片２１２とが設けられ、下枠部２２の上面には反対に起立して、複数の外側突片２２１と内側突片２２２とが設けられている。図５（ｃ）で判るように、外側突片２１１と内側突片２１２との間、及び、外側突片２２１と内側突片２２２との間には、ちょうど第１部材３０の板厚と同程度の隙間が空いている。また、図４及び図６（ｂ）に示すように、左側壁面部２４の前後端部には、それぞれ上下二箇所に嵌合穴２４１が設けられている。
【００３５】
この小物容器５ｃを組み立てる際には、図３に示すように、第１部材３０を第２部材２０の右側壁面部２３の外側から、前面部３１及び後面部３２の上縁辺が上枠部２１の外側突片２１１と内側突片２１２との間の隙間に入るように、下縁辺が下枠部２２の外側突片２２１と内側突片２２２との間の隙間に入るようにしながら、第１部材３０を第２部材２０に押し入れる。このとき外側突片２１１、２２１と内側突片２１２、２２２とは第１部材３０を案内する機能を果たす。
【００３６】
側面部３３の内側が右側壁面部２３外面に当たる、又はごく近接するまで第１部材３０を押し込むと、第１部材３０のカエリ部３５が第２部材２０の嵌合穴２４１に嵌り込み、第１部材３０は抜けなくなる。このときの第１部材３０の状態を図６（ｂ）では一点鎖線Ｄで示している。このとき、第１部材３０の上縁辺及び下縁辺は、外側突片２１１、２２１の厚さｄだけ、上枠部２１と下枠部２２の外面から内側に位置している。そのため、上枠部２１と下枠部２２とがそれぞれ第１部材３０の上縁辺の端面と下縁辺の端面とを確実に被覆し、仮にその上縁辺と下縁辺の端面に鋭利なバリがあった場合でも、使用者がこれに触れることを確実に防止することができる。
【００３７】
一方、第１部材３０の前面部３１及び後面部３２の横縁辺は左側壁面部２４の内部に隠れており、カエリ部３５も嵌合穴２４１の内側に収まっている。そのため、この左縁辺の端面にも使用者の指が触れることはない。このように、第１部材３０の切削端面は丸穴３４を除いてはいずれも外側に露出しないので、上述したように端面処理が行われていなくとも高い安全性を確保することができる。一般にこうした金属板の端面処理は非常にコストを要するが、この小物容器５ｃではステンレス鋼板の端面処理が不要であるため、その分だけ製造コストを抑制できる。また、第１部材３０を案内・保持するために下枠部２２に案内溝を形成していないので、該溝に水が溜まって汚れの原因となることがない。
【００３８】
小物容器５ｃに箸やスプーンなどの小物類を小分けして収納すると、その小物類にあって下方に向けられた先端部は底面部２６１に当接し、長手方向の周面は、桟部２６３、下枠部２２、仕切壁部２５、上枠部２１などの少なくとも１箇所に接触して各部屋内に起立保持される。上枠部２１の内周壁面には凹部２１３が形成されている。そもそも凹部２１３は外側突片２１１、内側突片２１２を成形加工するために付随的に形成されるものであるが、この凹部２１３があることによって小物類に水の噴射が当たっても各部屋内で移動しにくく、小物類の接触による騒音を軽減できるとともに、小物類が重なり合って水が掛からずに汚れ落ちが悪くなることを防止することができる。
【００３９】
また、図２に示すように小物容器５ｃの小さな面積の側壁面（左側壁面部２４）は食器籠５の左側面とほぼ一致している。従って、使用者が洗浄庫２の前面のドア３、４を開いて食器籠５を前方に出し入れするに際し、正面から見たときに小物容器５ｃの中でも最も目につく部分である前面と、その次に目につく右側面とはステンレス製である。また、斜め上方から見たときに目に付く後面もステンレス製である。従って、本小物容器５ｃは合成樹脂による第２部材２０とステンレスによる第１部材３０との組み合わせであるが、面積的にはステンレスで形成される部分が多く、実際に汚れが付きにくく掃除等の手入れが容易であるとともに、見た目の上でも清潔さを維持することができる。
【００４０】
なお、上記説明した第２部材２０は一体成形品でもよいが、複数の成形品を接着又は熱溶着することにより最終的に一体化する構成であってもよい。また、それ以外にも、本発明における小物容器５ｃの構成は様々な形態に変形することができる。
【００４１】
図９は他の実施例による小物容器５ｃを示す組立斜視図である。この例では、ステンレス鋼板から成る第１部材３０は４つの側壁面全てを覆う上面ロ字形状を有しており、合成樹脂製の第２部材２０は上枠部２１に相当する上部部材２０Ｂと、それ以外の下部部材２０Ａとの２つの部材から構成されている。組立時には、図示するように下部部材２０Ａと上部部材２０Ｂとの間に第１部材３０を挟み込み、仕切壁部２５の上端と上部部材２０Ｂとを接着又は熱溶着すればよい。また、仕切壁部２５を上部部材２０Ｂと一体に設け、下部部材２０Ａ側で接着又は熱溶着してもよい。
【００４２】
更に別の実施例としては、前面部３１に対応する平面状部材と、後面部３２に対応する平面状部材との独立した２つの部材を第１部材３０とし、小物容器５ｃの前面と後面のみをステンレスで覆うように構成してもよい。
このように上記実施例は本発明の単に一例に過ぎず、本発明の趣旨の範囲で適宜修正や変更を行うことができることは明らかである。
【図面の簡単な説明】
【図１】本発明の一実施例である食器洗い機の側面縦断面図。
【図２】本発明の一実施例である食器洗い機における食器籠の上面図。
【図３】本実施例の食器洗い機における小物容器の概略構成を示す組立斜視図。
【図４】本実施例の食器洗い機における小物容器を構成する第２部材の正面図。
【図５】第２部材の右側面図（ａ）、図３中のＡ−Ａ’矢視線断面図（ｂ）、及び、図３中のＢ−Ｂ’矢視線断面図（ｃ）。
【図６】第２部材の上面図（ａ）、及び、図４（ａ）中のＣ−Ｃ’矢視線断面図（ｂ）。
【図７】小物容器を構成する第１部材の正面図（ａ）、上面図（ｂ）、及び右側面図（ｃ）。
【図８】食器籠への小物容器の装着方法を説明するための概略図。
【図９】他の実施例による小物容器の概略構成を示す組立斜視図。
【符号の説明】
２…洗浄庫
５…食器籠
５ａ…下段籠部
５ｂ…上段載置棚部
５ｃ…小物容器
５ｄ…押さえ棒
６…水噴射口
７…ノズルアーム
１２…洗浄兼排水ポンプ
２０…第２部材
２１…上枠部
２１１…外側突片
２１２…内側突片
２１３…凹部
２２…下枠部
２２１…外側突片
２２２…内側突片
２３…右側壁面部
２４…左側壁面部
２４１…嵌合穴
２５…仕切壁部
２６…底部
２６１…底面部
２６２…通水穴
２６３…保持部
２６４…開口部
３０…第１部材
３１…前面部
３２…後面部
３３…側面部
３４…丸穴
３５…カエリ部
【図１】
2004135936.tif 000003
【図２】
2004135936.tif 000004
【図３】
2004135936.tif 000005
【図４】
2004135936.tif 000006
【図５】
2004135936.tif 000007
【図６】
2004135936.tif 000008
【図７】
2004135936.tif 000009
【図８】
2004135936.tif 000010
【図９】
2004135936.tif 000011